(57)【要約】【課題】履き口を有する衣類において、ずり下がり防止用のバンド部をなくし、かつ薄地とすることで、窮屈感をなくし心地よい着用感を得ることができると共に、ずり下がりも生じにくい衣類を提供する。【解決手段】編み始めの止め編み部と、該止め編み部に連続し、シングルニットからなるシングルウエルトの編組織を有したシングルウエルト身頃部を備えている。【選択図】図１
2008038264.tif 000002
【特許請求の範囲】
【請求項１】
編み始めの止め編み部と、
該止め編み部に連続し、シングルニットからなるシングルウエルトの編組織を有したシングルウエルト身頃部を、
備えていることを特徴とする衣類。
【請求項２】
前記止め編み部に連続する前記シングルウエルト身頃部では、弾性糸を用いて１ウエールニットと1ウエールミスまたは１ウエールニットと1ウエールタックを繰り返して編成するコースと、非弾性糸を用いてニットのみで編成するコースを交互に設けている請求項１に記載の衣類。
【請求項３】
前記止め編み部は、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成する請求項１または請求項２に記載の衣類。
【請求項４】
前記弾性糸として弾性芯糸を備えたシングルカバリングヤーンを用いると共に、前記非弾性糸としてウーリーナイロンを用い、さらに、前記添え糸として前記弾性糸の弾性芯糸より細い弾性芯糸を備えたシングルカバリングヤーンを用いている請求項２または請求項３に記載の衣類。
【請求項５】
前記止め編み部の複数のコースは全てのウエールをタックあるいはミスでニットさせずに編成し、かつ、該止め編み部では太い弾性芯糸を備えたシングルカバリングヤーンからなる第１種編み糸を用いて編成し、該第１種編み糸で止め編み部に外側へのカールを発生させない編成としている一方、
前記止め編み部に連続するシングルウエルト身頃部では、前記第１種編み糸で編成したコースと、前記第１種編み糸より伸縮力がない編み糸を用いて編成したコースを組み合わせた編組織としている請求項１に記載の衣類。
【請求項６】
前記止め編み部は５〜９コースとし、各コースは１ウエールタック、２ウエールミスまたは１ウエールタック、３ウエールミスを繰り返して編成する一方、
前記シングルウエルト身頃部は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成している請求項５に記載の衣類。
【請求項７】
パンティストッキング、タイツ、ショーツ、パンツ、ガードル、ストッキング、スパッツ、ソックスである請求項１乃至請求項６のいずれか1項に記載の衣類。
【発明の詳細な説明】
【技術分野】
【０００１】
本発明は衣類に関するものであり、特に、履き口を有するボトム下着等の衣類において、ずり下がり防止用のバンド部をなくし、かつ薄地とすることで、窮屈感をなくすことができ、同時に衣類のずり下がりも生じにくいものである。
【背景技術】
【０００２】
従来、パンティストッキングやパンツ等の履き口を有する衣類においては、ずり下がりを防止するため、図５に示すようなウエストバンド（バンド部）１が設けられるものが多い。また、図６に示すように、前記ウエストバンド（バンド部）を設けず、パンティ部２  （本体部）をダブルウエルトとするものもある。
しかし、前記のように、バンド部１を設けた衣類は、その圧迫感により窮屈感を感じる場合が多く、また、バンド部を設けず本体部２をダブルウエルトとした場合でも、厚地となるため窮屈感が解消できないという問題がある。
一方、本出願人は、特開２００４−１２４２９１号公報において、シングルニットからなるシングルウエルトの端末編組織を備えた衣類を提案している。
【０００３】
前記端末編組織はシングルニットからなるため、端末の履き口部の窮屈感は解消されるが、履き口部に連続する本体部は、使用する編み糸や編組織を前記履き口部と相違させ、ずり下がりを防止するためにより高い締め付け力を付与する編成とするのが通常である。
しかし、本体部を前記構成とすると、本体部の高い締め付け力のために窮屈感を感じる場合があり、心地よい着用感を得る点ではさらに改良の余地が残されている。
【０００４】
【特許文献１】特開２００４−１２４２９１号公報
【発明の開示】
【発明が解決しようとする課題】
【０００５】
本発明は前記問題に鑑みてなされたものであり、履き口を有する衣類において、ずり下がり防止用のバンド部をなくし、かつ薄地とすることで、窮屈感をなくし心地よい着用感を得ることができると共に、ずり下がりも生じにくい衣類を提供することを課題としている。
【課題を解決するための手段】
【０００６】
前記課題を解決するため、本発明は、編み始めの止め編み部と、
該止め編み領域に連続し、シングルニットからなるシングルウエルトの編組織を有したシングルウエルト身頃部を、
備えていることを特徴とする衣類を提供している。
【０００７】
前記のように、編み始めの止め編み部に、シングルニットからなるシングルウエルトの編組織を有するシングルウエルト身頃部を連続させることにより、バンド部を設けることなく、薄くソフトな肌触りとして窮屈感を低減させることができ、かつ、ずり下がりも生じにくいことが見出された。したがって、長時間着用していても疲労を感じさせず、心地よい着用感を得ることができる。
なお、本発明においては、前記止め編み部を除く本体部全体をシングルウエルト身頃部としてもよいし、前記止め編み部に連続する本体部の一部をシングルウエルト身頃部としてもよい。
【０００８】
前記止め編み部に連続する前記シングルウエルト身頃部では、弾性糸を用いて１ウエールニットと1ウエールミスまたは１ウエールニットと1ウエールタックを繰り返して編成するコースと、非弾性糸を用いてニットのみで編成するコースを交互に設けていることが好ましい。  
【０００９】
前記のように、弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができる。
さらに、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【００１０】
前記弾性糸を用いて１ウエールニットと1ウエールミスまたは1ウエールニットと１ウエールタックを繰り返すコースを編成していくことにより、前記弾性糸を用いたコースのニットの位置およびミスまたはタックの位置がそれぞれウエール方向に揃うストライプ状であっても、ウエール方向にずらしたメッシュ状であってもどちらでもよいが、特に、前記ストライプ状とすることにより、上下縦方向の伸縮性を抑えてずり下がりを効果的に防止することができる。
【００１１】
また、編み始めの止め編み部は、前記弾性糸に添え糸を添えた編み糸から編成するコースと、前記非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成することが好ましい。
しかし、止め編み部およびシングルウエルト身頃部の編組織は前記構成に限られず、例えば、前記止め編み部において、弾性糸および非弾性糸に添える添え糸を必ずしも共通させなくてもよいし、また、シングルウエルト身頃部において添え糸を適宜使用することもできる。
【００１２】
前記のように、編み始めの止め編み部において、前記弾性糸および前記非弾性糸に添え糸を添えた編み糸を用いて編成することにより、前記シングルウエルト身頃部よりも編み糸の繊度を増やし伸縮性を高めることができ、外側へ捲くれ上がるカールの発生を抑制できる。
また、非弾性糸に添え糸を添えた編み糸から編成する２コース目以降の１コース以上をニットのみからなるプレーン編組織で編成することで、編立やすく、強度を持たせることができる。
さらに、前記ニットのみからなるコース以外のコースを、１ウエールニットと1ウエールミスを繰り返して編成することにより、適度な伸縮性を保持させることができる。
【００１３】
前記１ウエールニットと1ウエールミスを繰り返すコースを編成していくことにより、前記コースのニットの位置およびミスの位置がそれぞれウエール方向に揃うストライプ状であっても、ウエール方向にずらしたメッシュ状であってもどちらでもよいが、特に、前記ストライプ状とすることにより、上下縦方向の伸縮性を抑えてずり下がりを効果的に防止することができる。
また、前記止め編み部のコース数としては、４コース程度とすることが好ましい。
【００１４】
前記弾性糸として弾性芯糸を備えたシングルカバリングヤーンを用いると共に、前記非弾性糸としてウーリーナイロンを用い、さらに前記添え糸として前記弾性糸の弾性芯糸より細い弾性芯糸を備えたシングルカバリングヤーンを用いていることが好ましい。
【００１５】
特に、前記弾性糸として、３０デシテックス〜８０デシテックスのポリウレタン弾性芯糸にナイロン糸を巻き付けたシングルカバリングヤーンを用いると共に、前記非弾性糸として、３０デシテックス〜８０デシテックスのウーリーナイロンを用い、さらに前記添え糸として２０デシテックス〜４０デシテックスのポリウレタン弾性芯糸にナイロン糸を巻き付けたシングルカバリングヤーンを用いていることが好ましい。
【００１６】
また、前記止め編み部の編み組織として、各コースを、１ウエールタック、２ウエールミスまたは１ウエールタック、３ウエールミスを繰り返す編成としてもよい。
【００１７】
一方、使用する編機の種類によっては、前記止め編み部および前記シングルウエルト身頃部の編み組織を以下のようにすることもできる。
即ち、編み始めの止め編み部の複数コースは全てのウエールをタックあるいはミスでニットさせずに編成し、かつ、該止め編み部では太い弾性芯糸を備えたシングルカバリングヤーンからなる第1種編み糸を用いて編成し、該第1種編み糸で止め編み部に外側へのカールを発生させない編成としている一方、前記止め編み部に連続するシングルウエルト身頃部では、前記第1種編み糸で編成したコースと、前記第1種編み糸より伸縮力がない編み糸を用いて編成したコースを組み合わせた編組織としている。
【００１８】
前記のように、編み始めの止め編み部では、どのウエールもニットすることなく複数コースを１つの編み糸で連続して編成しているため、編み糸として太い弾性芯糸を備えた伸縮力の強い第1種編み糸を用いても厚くならずに薄さを保持でき、カール発生を抑制しながら、適度な締め付け力を付与することができる。
【００１９】
一方、前記止め編み部に連続するシングルウエルト身頃部では、前記第1種編み糸で編成したコースを設けていることで、適度な締め付け力の付与が可能となり、さらに、第1種編み糸のみでなく、該第1種編み糸よりも伸縮力が弱い編み糸で編成したコースと併設することで、止め編み部よりは低い締め付け力として、身体への圧迫感を減少することができ、より着心地の良いものとしている。
【００２０】
具体的には、前記止め編み部は、５〜９コースとし、各コースは１ウエールタック、２ウエールミスまたは１ウエールタック、３ウエールミスを繰り返して編成している。
前記構成によれば、選針を２本もしくは３本置きとすることで適度な締め付け力を付与できる。
【００２１】
前記シングルウエルト身頃部は、１ウエールタックと１〜３ウエールミスを繰り返すコースと、ニットのみからなるコースとからなり、該ニットのみからなるコースを２〜３コース連続した後に前記タックとミスとのコースを１コース介在させて編成し、前記タックとミスのコースは前記第１種編み糸を用い、ニットのみからなるコースは、前記第１種編み糸の弾性芯糸より細い弾性芯糸を備えたシングルカバリングヤーンあるいは／およびそれより伸縮力の低い編み糸からなる、第２種編み糸を用いて編成していることが望ましい。
【００２２】
前記のように、シングルウエルト身頃部は、伸縮力の弱い編み糸で編成したニットのみからなるコースを２〜３コース連続して設けることにより、止め編み部よりも締め付け力を低減でき、圧迫感を減少させて着心地を高めることができる。また、シングルカバリングヤーンからなる第２種編み糸を用いて編成すると、肌触りを良くすることもできる。
この際、ニットのみからなるプレーン編組織によって表目の張力が高まっても、該ニットのみからなるコースは伸縮力が弱い編み糸で編成するため、外側へのカール発生を効果的に抑制することができると共に適度な締め付け力も保持できる。
【００２３】
前記止め編み部およびシングルウエルト身頃部に用いる伸縮力の強い第１種編み糸のシングルカバリングヤーンとして、７０デシテックス〜２００デシテックスのポリウレタン弾性芯糸にナイロン糸を巻き付けた糸を用いていることが好ましい。
ポリウレタン弾性芯糸の太さが７０デシテックス未満であると、締め付け力が弱すぎてウエルト部分のカールしようとする力に負けてしまう場合がある。また、２００デシテックスを越えると、止め編み部とシングルウエルト身頃部とのバランスがとれず、締め付け力が強すぎ、着用感を損ねる場合がある。特に好ましくは、ポリウレタン弾性芯糸の太さが１００デシテックス〜１６０デシテックスである。
【００２４】
前記シングルウエルト身頃部のニットのみからなるプレーン編み組織で用いる第２種編み糸として、下記の（１）〜（３）の編み糸を１種あるいは複数種類を用いている。
（１）１０デシテックス〜４０デシテックスのポリウレタン弾性芯糸にナイロン糸を巻き付けたシングルカバリングヤーン
（２）ウーリーナイロン
（３）その他の複合糸
外観や機能の点から、（１）の編み糸のみ用いる場合、（１）の編み糸に代えて、（２）のウーリーナイロンや（３）を用いる場合がある。
【００２５】
前記（１）の第２種編み糸のシングルカバリングヤーンにおいて、ポリウレタン弾性芯糸の太さが１０デシテックス未満であると、ニットのみからなるプレーン編み組織を形成しても締め付け力が弱すぎて心地よい着用感が得られなくなる場合がある一方、ポリウレタン弾性芯糸の太さが４０デシテックスを越えるともはやパワーの弱い編み糸ではなくなり、締め付け力が強すぎて着用感が悪くなったり、表目の張力が大幅に増大して外側へのカールが発生してしまったりする場合がある。特に好ましくは、ポリウレタン弾性芯糸の太さが１５デシテックス〜２５デシテックスである。
前記（２）のウーリーナイロンを用いると伸びの調整ができると共に、外観と肌触りを向上させることができる。他の糸とのバランス上で１０〜８０デシテックスの太さのものを用いるのが好適である。
前記（３）の複合糸として、キュプラと６６ナイロンとの混紡糸を用いると、キュプラを混紡することで吸・放湿性を高めることができる。該混紡糸の混合割合はキュプラの吸・放湿性を損なわない４０〜９０デシテックスが好適に用いられる。
【００２６】
また、前記止め編み部の編み組織として、前記したような、弾性糸に添え糸を添えた編み糸から編成するコースと、非弾性糸に前記添え糸を添えた編み糸から編成するコースを交互に設けた複数のコースとし、前記非弾性糸に前記添え糸を添えた編み糸から編成する２コース目以降の１コース以上をニットのみで編成し、他のコースは１ウエールニットと1ウエールミスを繰り返して編成してもよい。
【００２７】
本発明は、前記のように、編み始めの止め編み部と、該止め編み部に連続するシングルウエルト身頃部を備えた衣類を提供しており、特に、パンティストッキング、タイツ、ショーツ、パンツ、ガードル、ストッキング、スパッツ、ソックス等が好適である。
【発明の効果】
【００２８】
前述したように、本発明によれば、編み始めの止め編み部に、シングルニットからなるシングルウエルトの編組織を有するシングルウエルト身頃部を連続させることにより、バンド部を設けることなく、薄くソフトな肌触りとして窮屈感を低減させることができ、かつ、ずり下がりも発生しにくくすることができる。よって、長時間着用していても疲労を感じさせることのない心地よい着用感を得ることができる。
【００２９】
また、前記のように、編み始めの止め編み部において、前記弾性糸および前記非弾性糸に添え糸を添えた編み糸を用いて編成することにより、シングルウエルト身頃部よりも編み糸の繊度を増やし伸縮性を高めることができ、外側へ捲くれ上がるカールの発生を抑制できる。
さらに、非弾性糸に添え糸を添えた編み糸から編成する２コース目以降の１コース以上をニットのみからなるプレーン編組織で編成することで、編立やすく、強度を持たせることができる。さらに、前記ニットのみからなるコース以外のコースを、１ウエールニットと1ウエールミスを繰り返して編成することにより、適度な伸縮性を保持させることができる。
【００３０】
また、前記のように、止め編み部に連続するシングルウエルト身頃部では、前記止め編み部のような編み糸を用いていないため、前記止め編み部より締め付け力を低減でき、圧迫感を減少させて着用感を高めることができる。さらに、弾性糸を用いて１ウエールニットと1ウエールミスまたは１ウエールニットと1ウエールタックを繰り返して編成するコースと、非弾性糸を用いてニットのみで編成するコースを交互に設ける構成とし、弾性糸を用いて１ウエールニットと1ウエールミスまたは１ウエールニットと1ウエールタックを繰り返して編成するコースを設けることにより、表目の張力が高くなりすぎないようしてカールの発生を抑制しながら、適度な締め付け力を保持することができ、ずり下がりを防止することができる。
さらに、前記非弾性糸を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【発明を実施するための最良の形態】
【００３１】
以下、本発明の実施形態を図面を参照して説明する。
図１は、第１実施形態において、シングルシリンダの４インチの４口丸編機で編成したパンティストッキング１０を示す。図中、上端が編み始め端となり、上端から止め編み部１１を設け、さらにその下側にシングルウエルト身頃部１２を連続させている。なお、本実施形態においては、パンティ部をシングルウエルト身頃部１２とし、該シングルウエルト身頃部１２に通常のレッグ部１３を連続させている。
【００３２】
図２および図３は、止め編み部１１およびシングルウエルト身頃部１２の編組織を示し、第１列目の針２０−１から第Ｎ列目の針２０−ｎの下に示す。（○）は針２０に給糸してニットしている場合、（×）は針２０に給糸せずに飛ばしてミスしている場合、（◎）は添え糸を添えた編み糸を給糸してニットしている場合を示す。
【００３３】
編み始めの止め編み部１１においては、弾性糸として７８デシテックスのポリウレタン弾性芯糸に３３デシテックスのナイロン糸を巻き付けたシングルカバリングヤーン２１を用い、非弾性糸として５６デシテックスのウーリーナイロン２２、添え糸として３３デシテックスのポリウレタン弾性芯糸に３３デシテックスのナイロン糸を巻き付けたシングルカバリングヤーンを用いている。
シングルカバリングヤーン２１に添え糸のシングルカバリングヤーンを添えた編み糸２１ａを給糸口から連続供給して止め編み部１１の第１コースＣ１と第３コースＣ３の２コースを編成している。また、ウーリーナイロン２２に添え糸のシングルカバリングヤーンを添えた編み糸２２ａを他の給糸口から連続供給して止め編み部１１の第２コースＣ２と第４コースＣ４の２コースを編成している。本実施形態では、Ｃ１、Ｃ３、Ｃ４の３コースは、１ウエールニット→１ウエールミス→１ウエールニット→１ウエールミスを繰り返し、Ｃ２の１コースだけすべてのウエールでニットしている。
【００３４】
詳細には、第１コースＣ１は、図２および図３に示すように、第１列目の針２０−１にニット◎、第２列目の針２０−２はミス×、第３列目の針２０−３にニット◎、第４列目の針２０−４はミス×というように、１ウエールニット、１ウエールミスをシングルカバリングヤーン２１に添え糸のシングルカバリングヤーンを添えた編み糸２１ａで繰り返している。第３コースＣ３もＣ１と同様に１ウエール１ニット、１ウエール１ミスを前記編み糸２１ａで繰り返している。
一方、第２コースＣ２は、ウーリーナイロン２２に添え糸のシングルカバリングヤーンを添えた編み糸２２ａを用いてすべての針２０−１〜２０−ｎにニット◎とし、第４コースＣ４は、前記編み糸２２ａを用いて１ウエールニット、１ウエールミスを繰り返している。
図２、図３に示すように、Ｃ１、Ｃ３、Ｃ４の３コースは１ニット、１ミスを繰り返すことにより、ニット、ミスの組織がストライプ状となっている。
【００３５】
止め編み部１１に連続するシングルウエルト身頃部１２のコースＣ５、Ｃ７、Ｃ９、Ｃ１１、Ｃ１３、Ｃ１５では、前記７８デシテックスのポリウレタン弾性芯糸に３３デシテックスのナイロン糸を巻き付けたシングルカバリングヤーン２１を給糸口から供給して１ウエールニット→１ウエールミス→１ウエールニット→１ウエールミスを繰り返している。
また、シングルウエルト身頃部１２の他のコースＣ６、Ｃ８、Ｃ１０、Ｃ１２、Ｃ１４、Ｃ１６では、前記５６デシテックスのウーリーナイロン２２を他の給糸口から供給してすべてのウエールでニットしている。
【００３６】
詳細には、図２、図３に示すように、第５コースＣ５では第１列目の針２０−１にニット○、第２列目の針２０−２はミス×、第３列目の針２０−３にニット○、第４列目の針２０−４はミス×というように、１ウエールニット、１ウエールミスをシングルカバリングヤーン２１で繰り返している。
次に、第６コースＣ６では、ウーリーナイロン２２を用いてすべての針２０−１〜２０−ｎにニット○としている。
この後、１ウエールニットと１ウエールミスの第７コースＣ７、ニットのみからなる第８コースＣ８というように、シングルカバリングヤーン２１によるコースとウーリーナイロン２２によるコースを交互に繰り返している。
【００３７】
前記のように、本発明によれば、編み始めの止め編み部１１に、シングルニットからなるシングルウエルトの編組織を有するシングルウエルト身頃部１２を連続させることにより、バンド部を設けることなく、薄くソフトな肌触りとして窮屈感を低減させることができ、かつ、ずり下がりも発生しにくくすることができ、長時間着用していても疲労を感じさせることのない心地よい着用感を得ることができる。
【００３８】
また、前記のように、編み始めの止め編み部１１において、弾性糸（シングルカバリングヤーン２１）および非弾性糸（ウーリーナイロン２２）に添え糸（シングルカバリングヤーン）を添えた編み糸を用いて編成することにより、編み糸の繊度を増やし伸縮性を高めることができ、カールの発生を抑制できる。
また、非弾性糸（ウーリーナイロン２２）に添え糸（シングルカバリングヤーン）を添えた編み糸２２ａから編成する第２コースＣ２の１コースをニットのみからなるプレーン編組織で編成することで、編立やすく、強度を持たせることができる。さらに、前記ニットのみからなる1コース以外のコースを、１ウエールニットと1ウエールミスを繰り返して編成することにより、適度な伸縮性を保持させることができる。
【００３９】
また、前記のように、止め編み部１１に連続するシングルウエルト身頃部１２では、止め編み部１１のような編み糸を用いていないため、止め編み部１１より締め付け力を低減でき、圧迫感を減少させて着用感を高めることができる。
また、弾性糸（シングルカバリングヤーン２１）を用いて１ウエールニットと1ウエールミスを繰り返して編成するコースを設けることにより、表目の張力が高くなりすぎないようしてカールの発生を抑制しながら、適度な締め付け力を保持することができ、ずり下がりを防止することができる。
さらに、非弾性糸（ウーリーナイロン２２）を用いてニットのみからなるプレーン編組織で編成するコースを設けることにより、表目の張力が高まっても、前記ニットのみからなるコースは伸縮力の弱い編み糸で編成されるため、外側へのカールの発生を抑制しながら、適度な締め付け力も保持することができる。
【００４０】
図４は第２実施形態を示す。
第１実施形態との相違点は、止め編み部１１およびシングルウエルト身頃部１２の編組織を変えた点である。
編み始めの止め編み部１１は、１３３デシテックスのポリウレタン弾性芯糸に３３デシテックスのナイロン糸を巻きつけたシングルカバリングヤーン２５からなる第１種編み糸を用いている。該シングルカバリングヤーン２５を給糸口から連続供給して第１コースＣ１から第８コースＣ８までの８コースを編成している。
止め編み部１１の各コースは、１ウエールタック→３ウエールミス→１ウエールタック→３ウエールミスを繰り返している。
【００４１】
詳細には、第１コースＣ１は図６に示すように、第１列目の針２０−１にタック△、第２、第３、第４列目の針２０−２、２０−３、２０−４はミス×、第５列目の針２０−５にタック△、第６、第７、第８列目の針２０−６、２０−７、２０−８はミス×というように１ウエールタック、３ウエールミスを繰り返し、第２コースＣ２〜第８コースＣ８もＣ３と同様に１ウエールタック、３ウエールミスを繰り返している。
【００４２】
止め編み部１１に連続するシングルウエルト身頃部１２のコースＣ９、Ｃ１３では、１３３デシテックスのポリウレタン弾性芯糸に３３デシテックスのナイロン糸を巻きつけたシングルカバリングヤーン２５からなる伸縮力の強い第１種編み糸を１つの給糸口から供給して１ウエールタック→３ウエールミス→１ウエールタック→３ウエールミスを繰り返している。
【００４３】
シングルウエルト身頃部１２の他のコースＣ１０、Ｃ１１、Ｃ１２、Ｃ１４、Ｃ１５、Ｃ１６では２０デシテックスのポリウレタン弾性芯糸に３３デシテックスのナイロン糸を巻き付けたシングルカバリングヤーン２６からなる伸縮力の弱い第２種編み糸を他の給糸口から供給して全ての針でニットするコースを編成している。
【００４４】
詳細には、図４に示すように、第９コースＣ９では第１列目の針２０−１はタック△、第２、第３、第４列目の針２０−２、２０−３、２０−４はミス×、第５列目の針２０−５はタック△、第６、第７、第８列目の針２０−６、２０−７、２０−８はミス×というように、１ウエールタック、３ウエールミスをシングルカバリングヤーン２５で繰り返している。
次に、第１０コースＣ１０、第１１コースＣ１１および第１２コースＣ１２ではすべての針２０−１〜２０−ｎにニット○とし、前記伸縮力の弱いシングルカバリングヤーン２６で編成している。この連続した３コースの後に、Ｃ９と同一の１ウエールタックと３ウエールミスを繰り返す第１３コースＣ１３を介在させている。この後さらに、ニットのみからなる３コース、１ウエールタックと３ウエールミスを繰り返す１コースというパターンを繰り返している。
【００４５】
第２実施形態においても、編み始めの止め編み部１１に、シングルニットからなるシングルウエルトの編組織を有するシングルウエルト身頃部１２を連続させることにより、バンド部を設けることなく、薄くソフトな肌触りとして窮屈感を低減させることができ、かつ、ずり下がりも発生しにくくすることができ、長時間着用していても疲労を感じさせることのない心地よい着用感を得ることができる。
【００４６】
また、前記のように、止め編み部１１において、１つのコースで１ウエールタック、３ウエールミスを繰り返して編成し、太いポリウレタン弾性芯糸を備えたシングルカバリングヤーンからなる伸縮力の強い第１種編み糸２５で編成することにより、外側へのカール発生を抑制することができ、また、適度な締め付け力を付与することもできる。
【００４７】
さらに、前記のように、シングルウエルト身頃部１２では、伸縮力の弱い第２種編み糸２６でニットのみからなるコースＣ１０、Ｃ１１、Ｃ１２の３コース連続して設けた後に、伸縮力の強い第１種編み糸２５で編成した１ウエールタック、３ウエールミスを繰り返すコースＣ１３を１コース設け、続いて、前記第２種編み糸２６でニットのみからなるコースを３コースＣ１４、Ｃ１５、Ｃ１６連続させ、以下、これを繰り返すことで、止め編み部１２よりは低い締め付け力として身体への圧迫感を減少して着用感を向上させることができると共に、外側へのカール発生を効果的に抑制することができる。かつ、シングルウエルト身頃部１２も止め編み部１１と同様にシングルカバリングヤーンからなる第１種編み糸２５、第２種編み糸２６のみで編成しているため肌触りも良くすることができる。
【図面の簡単な説明】
【００４８】
【図１】第１実施形態におけるパンティストッキングの概略図である。
【図２】止め編み部およびシングルウエルト身頃部の編組織の説明図である。
【図３】止め編み部およびシングルウエルト身頃部の編組織を示す図面である。
【図４】第２実施形態における止め編み部およびシングルウエルト身頃部の編組織の説明図である。
【図５】従来例を示す図であり、（Ａ）は概略正面図、（Ｂ）はＡ−Ａ断面図である。
【図６】従来例を示す図であり、（Ａ）は概略正面図、（Ｂ）はＢ−Ｂ断面図である。
【符号の説明】
【００４９】
１０  パンティストッキング
１１  止め編み部
１２  シングルウエルト身頃部
１３  レッグ部
２０−１〜２０−ｎ  針
２１、２５、２６  シングルカバリングヤーン
２２  ウーリーナイロン
【図１】
2008038264.tif 000003
【図２】
2008038264.tif 000004
【図３】
2008038264.tif 000005
【図４】
2008038264.tif 000006
【図５】
2008038264.tif 000007
【図６】
2008038264.tif 000008